(57)【要約】【課題】不要物の回収作業に際して、当該作業をおこなう作業者の負担を軽減すること。【解決手段】両端が開放された筒形状をなす主容器部材１０１と、開口１０１ａを開放可能に密閉する第１の蓋部材１０２と、開口１０１ｂを開放可能に密閉する第２の蓋部材１０３と、第１の蓋部材１０２および第２の蓋部材１０３によって主容器部材１０１の軸方向における両端の開口を密閉した状態における主容器部材１０１の内側において、袋状部材を保持する保持部材と、を備え、保持部材が、当該保持部材が保持する袋状部材を、主容器部材１０１の軸方向における他端側から回収可能に保持する不要物回収装置１００を構成した。【選択図】図２
2014171406.tif 000002
【特許請求の範囲】
【請求項１】
両端が開放された筒形状をなす主容器部材と、
前記主容器部材の軸方向における一端側の開口を開放可能に密閉する第１の蓋部材と、
前記主容器部材の軸方向における他端側の開口を開放可能に密閉する第２の蓋部材と、
前記第１の蓋部材および前記第２の蓋部材によって前記主容器部材の軸方向における両端の開口を密閉した状態における前記主容器部材の内側において、袋状部材を保持する保持部材と、
を備え、
前記保持部材は、当該保持部材が保持する袋状部材を、前記主容器部材の軸方向における他端側から回収可能に保持することを特徴とする不要物回収装置。
【請求項２】
前記主容器部材の内壁面に設けられた衝撃緩衝部材を備えたことを特徴とする請求項１に記載の不要物回収装置。
【請求項３】
前記第１の蓋部材および前記第２の蓋部材は、前記主容器部材に連結されていることを特徴とする請求項１または２に記載の不要物回収装置。
【請求項４】
前記主容器部材、前記第１の蓋部材および前記第２の蓋部材は、不透明な材料を用いて形成されていることを特徴とする請求項１〜３のいずれか一つに記載の不要物回収装置。
【請求項５】
前記主容器部材、前記第１の蓋部材および前記第２の蓋部材は、高分子材料を用いて形成されていることを特徴とする請求項１〜４のいずれか一つに記載の不要物回収装置。
【請求項６】
前記主容器部材は、略円筒形状をなすことを特徴とする請求項１〜５のいずれか一つに記載の不要物回収装置。
【発明の詳細な説明】
【技術分野】
【０００１】
この発明は、カラスなど、野鳥の卵などの不要物を回収する不要物回収装置に関する。
【背景技術】
【０００２】
送電用の鉄塔などの電気設備に営巣されたカラスなどの野鳥の巣などのように、電気設備や電気設備の近傍にある異物は、地絡事故の原因となりうる。このため、電気設備や電気設備の近傍にカラスなどの野鳥が営巣した場合、当該電気設備を保安管理する電力会社の社員などが巣を撤去している。
【０００３】
たとえば、鉄塔に営巣された巣の撤去作業は、まず、作業員が巣を入れる袋を持って鉄塔に登る。そして、鉄塔から巣を取り外し、取り外した巣を持っている袋に入れ、鉄塔を降りる。撤去する巣に卵がある場合、卵と巣を一緒に袋に入れて回収する。従来、このような撤去作業に際しては、たとえば、ビニール袋、工具袋、腰袋などに、撤去した巣や卵を入れていた。
【０００４】
雑食性のカラスの卵は臭気が強く、その臭気は卵が割れた場合に一層強くなる。上記の撤去作業に際して、鉄塔などの高所から地上に運搬するまでに卵が割れた場合、不快な臭気をともなう卵の内容物が作業者の衣服や周囲の設備に付着したりするため、卵は容器に入れて運搬することが好ましい。
【０００５】
従来、鶏卵を立てる複数の窪みを有する底部に、鶏卵の縦半分を入れる複数の凹部を有する対称をなす１対の半体を、屈曲自在な連結部を介して連結した鶏卵包装容器を、熱可塑性薄肉合成樹脂シートを真空成型またはブロー成型して全体を一体に形成するようにした技術があった（たとえば、下記特許文献１を参照）。
【０００６】
また、従来、側板に揺動自在に取り付けられた開閉蓋を備えた容器本体と開閉蓋とに係止片および当該係止片が係合する係合突起を設け、容器本体に対して容易かつ確実に開閉蓋を開閉することができるようにした技術があった（たとえば、下記特許文献２を参照）。
【先行技術文献】
【特許文献】
【０００７】
【特許文献１】特開２００７−３９０８６号公報
【特許文献２】特開２００２−６８３３５号公報
【発明の概要】
【発明が解決しようとする課題】
【０００８】
しかしながら、上述した特許文献１、２に記載された技術を含む従来の技術は、カラスなどの野鳥の卵を回収する作業には適していないという問題があった。このため、運搬中に卵が割れやすく、割れた卵から発せられる臭気によって作業者が不快な思いをしたり、衣服や設備に付着した割れた卵の内容物を清掃する作業をおこなわなくてはならず、煩わしいという問題があった。
【０００９】
この発明は、上述した従来技術による問題点を解消するため、不要物の回収作業に際して、当該作業をおこなう作業者の負担を軽減することができる不要物回収装置を提供することを目的とする。
【課題を解決するための手段】
【００１０】
上述した課題を解決し、目的を達成するため、この発明にかかる不要物回収装置は、両端が開放された筒形状をなす主容器部材と、前記主容器部材の軸方向における一端側の開口を開放可能に密閉する第１の蓋部材と、前記主容器部材の軸方向における他端側の開口を開放可能に密閉する第２の蓋部材と、前記第１の蓋部材および前記第２の蓋部材によって前記主容器部材の軸方向における両端の開口を密閉した状態における前記主容器部材の内側において、袋状部材を保持する保持部材と、を備え、前記保持部材が、当該保持部材が保持する袋状部材を、前記主容器部材の軸方向における他端側から回収可能に保持することを特徴とする。
【００１１】
また、この発明にかかる不要物回収装置は、上記の発明において、前記主容器部材の内壁面に設けられた衝撃緩衝部材を備えたことを特徴とする。
【００１２】
また、この発明にかかる不要物回収装置は、上記の発明において、前記第１の蓋部材および前記第２の蓋部材が、前記主容器部材に連結されていることを特徴とする。
【００１３】
また、この発明にかかる不要物回収装置は、上記の発明において、前記主容器部材、前記第１の蓋部材および前記第２の蓋部材が、不透明な材料を用いて形成されていることを特徴とする。
【００１４】
また、この発明にかかる不要物回収装置は、上記の発明において、前記主容器部材、前記第１の蓋部材および前記第２の蓋部材が、高分子材料を用いて形成されていることを特徴とする。
【００１５】
また、この発明にかかる不要物回収装置は、上記の発明において、前記主容器部材が、略円筒形状をなすことを特徴とする。
【発明の効果】
【００１６】
この発明にかかる不要物回収装置によれば、不要物の回収作業に際して、当該作業をおこなう作業者の負担を軽減することができるという効果を奏する。
【図面の簡単な説明】
【００１７】
【図１】この発明にかかる実施の形態の不要物回収装置の構成を示す説明図（その１）である。
【図２】この発明にかかる実施の形態の不要物回収装置の構成を示す説明図（その２）である。
【図３】主容器部材の軸方向における一端側の開口の周辺を示す説明図である。
【図４】この発明にかかる実施の形態の不要物回収装置の使用例を示す説明図（その１）である。
【図５】この発明にかかる実施の形態の不要物回収装置の使用例を示す説明図（その２）である。
【図６】保持部材の別の態様を示す説明図である。
【発明を実施するための形態】
【００１８】
以下に添付図面を参照して、この発明にかかる不要物回収装置の好適な実施の形態を詳細に説明する。
【００１９】
（不要物回収装置の構成）
まず、この発明にかかる実施の形態の不要物回収装置の構成について説明する。図１および図２は、この発明にかかる実施の形態の不要物回収装置の構成を示す説明図である。図１において、この発明にかかる実施の形態の不要物回収装置１００は、主容器部材１０１と第１の蓋部材１０２と第２の蓋部材１０３とを備えている。
【００２０】
主容器部材１０１は、両端が開放された筒形状をなす。主容器部材１０１は、主容器部材１０１の軸方向における一端側の開口１０１ａと主容器部材１０１の軸方向における他端側の開口１０１ｂとの間が直線状であることが好ましい。すなわち、主容器部材１０１は、開口１０１ａ（あるいは開口１０１ｂ）から、開口１０１ｂ（あるいは開口１０１ａ）を望むことができることが好ましい。主容器部材１０１は、たとえば、円筒形状であることが好ましい。主容器部材１０１は、円筒形状に限るものではなく、たとえば、断面が三角あるいは四角形以上の多角形状をなす筒形状であってもよい。
【００２１】
第１の蓋部材１０２は、開口１０１ａを開放可能に密閉する。第１の蓋部材１０２は、第１の紐状部材１０４を介して、開口１０１ａ近傍に固定されている。第１の蓋部材１０２は、第１の紐状部材１０４によって主容器部材１０１に連結され、主容器部材１０１と一体とされている。これにより、開口１０１ａを開放した場合に、第１の蓋部材１０２を紛失することを防止できる。
【００２２】
不要物回収装置１００は、開口１０１ａと第１の蓋部材１０２との間の空隙を埋めるパッキン（図示を省略する）を備えていてもよい。パッキンは、主容器部材１０１に設けられていてもよく、第１の蓋部材１０２に設けられていてもよい。具体的には、たとえば、第１の蓋部材１０２が、主容器部材１０１の軸方向における一端側に被せることによって当該開口１０１ａを閉塞する形状をなす場合、主容器部材１０１において第１の蓋部材１０２が被せられる部分に、ゴムやウレタンなどを用いて形成されたリング状のパッキンを設けることにより上記空隙を埋めることができる。
【００２３】
また、具体的には、たとえば、第１の蓋部材１０２が、開口１０１ａに押し込まれることによって当該開口１０１ａを閉塞する形状をなす場合、当該第１の蓋部材１０２自体を、ゴムやウレタンなどを用いて形成し、当該第１の蓋部材１０２によって開口１０１ａに栓をすることによって上記空隙を埋めることができる。
【００２４】
第２の蓋部材１０３は、開口１０１ｂを開放可能に密閉する。第２の蓋部材１０３は、第２の紐状部材１０５を介して、開口１０１ｂ近傍に固定されている。第２の蓋部材１０３は、第２の紐状部材１０５によって主容器部材１０１に連結され、主容器部材１０１と一体とされている。これにより、開口１０１ｂを開放した場合に、第２の蓋部材１０３を紛失することを防止できる。
【００２５】
不要物回収装置１００は、開口１０１ｂと第２の蓋部材１０３との間の空隙を埋めるパッキン（図示を省略する）を備えていてもよい。パッキンは、主容器部材１０１に設けられていてもよく、第２の蓋部材１０３に設けられていてもよい。具体的には、たとえば、第２の蓋部材１０３が、主容器部材１０１の軸方向における他端側に被せることによって当該開口１０１ｂを閉塞する形状をなす場合、主容器部材１０１において第２の蓋部材１０３が被せられる部分に、ゴムやウレタンなどを用いて形成されたリング状のパッキンを設けることにより上記空隙を埋めることができる。
【００２６】
また、具体的には、たとえば、第２の蓋部材１０３が、開口１０１ｂに押し込まれることによって当該開口１０１ｂを閉塞する形状をなす場合、当該第２の蓋部材１０３自体を、ゴムやウレタンなどを用いて形成し、当該第２の蓋部材１０３によって開口１０１ｂに栓をすることによって上記空隙を埋めることができる。
【００２７】
不要物回収装置１００において、主容器部材１０１、第１の蓋部材１０２および第２の蓋部材１０３は、不透明な材料を用いて形成されている。主容器部材１０１、第１の蓋部材１０２および第２の蓋部材１０３は、具体的には、たとえば、黒などの濃色、ベージュや白などの淡色、灰色などの中間色など、各色の材料を用いて形成することができる。
【００２８】
主容器部材１０１、第１の蓋部材１０２および第２の蓋部材１０３は、不透明な材料を用いて形成されていることが好ましく、色を格別限定しない。主容器部材１０１、第１の蓋部材１０２および第２の蓋部材１０３を、不透明な材料を用いて形成することにより、不要物回収装置１００の外から内部が視認されることを防止できる。
【００２９】
また、不要物回収装置１００において、主容器部材１０１、第１の蓋部材１０２および第２の蓋部材１０３は、高分子材料を用いて形成されている。主容器部材１０１、第１の蓋部材１０２および第２の蓋部材１０３は、たとえば、ＰＶＣ（ポリ塩化ビニル混合物）やＰＥ（ポリエチレン）、エポキシ樹脂、ポリウレタン（ウレタン）など、絶縁性に優れた各種の高分子材料を用いて形成することができる。
【００３０】
主容器部材１０１、第１の蓋部材１０２および第２の蓋部材１０３を、高分子材料を用いて形成することにより、不要物回収装置１００の強度を維持しつつ重量の軽量化を図ることができる。これにより、鉄塔などの高所において、不要物（たとえば、カラスなどの野鳥の卵など）を回収する作業をおこなう作業者に対して、不要物回収装置１００を携行することによる負担を感じさせることなく、不要物回収装置１００を携行させることができる。
【００３１】
また、主容器部材１０１、第１の蓋部材１０２および第２の蓋部材１０３を、高分子材料を用いて形成することにより、当該高分子材料自体の弾性を利用して、不要物回収装置１００に対して当該不要物回収装置１００の外側から加えられた衝撃を緩衝することができる。これにより、不要物回収装置１００の外側から加えられた衝撃が、不要物回収装置１００内に回収した不要物に伝わることを抑制できる。そして、これにより、たとえば、カラスなどの野鳥の卵など、破損しやすい不要物を不要物回収装置１００内に回収した場合にも、当該不要物が破損することを防止できる。
【００３２】
不要物回収装置１００は、落下防止用の紐状部材１０６を備えている。落下防止用の紐状部材１０６は、一端が、主容器部材１０１と第１の蓋部材１０２とを連結する第１の紐状部材１０４に取り付けられている。落下防止用の紐状部材１０６は、他端が、リング状とされている。落下防止用の紐状部材１０６の他端は、リング状とすることに代えて、あるいはリング状とされた部分に、リング状Ｄカンやフック（いずれも図示を省略する）などが設けられていてもよい。
【００３３】
落下防止用の紐状部材１０６は、第１の紐状部材１０４に取り付けられているものに限らない。落下防止用の紐状部材１０６の一端は、第１の紐状部材１０４に代えて、開口１０１ａの近傍に固定されていてもよい。落下防止用の紐状部材１０６の一端を、第１の紐状部材１０４あるいは開口１０１ａの近傍に固定することより、落下防止用の紐状部材１０６の他端を作業者が身につけて携行する腰袋などに取り付けた状態において、常時、開口１０１ａを、開口１０１ｂよりも上側に位置付けることができる。
【００３４】
これにより、作業者が、自身の腰などにぶら下げて携行する腰袋などに不要物回収装置１００を取り付けた状態で、当該不要物回収装置１００を運搬する際に、開口１０１ａを鉛直方向下側に向けて開口し、不要物回収装置１００に回収した不要物が開口１０１ａから不用意に落下することを防止できる。
【００３５】
主容器部材１０１の内壁面には、衝撃緩衝部材２０１が設けられている。衝撃緩衝部材２０１は、たとえば、ウレタン製のシート状部材、ゴム製のシート状部材などによって実現することができる。また、衝撃緩衝部材２０１は、たとえば、気泡緩衝材などによって実現してもよい。気泡緩衝材は、ポリエチレンなどの高分子製の２枚のシートを重ね合わせ、一方のシートに成型した円柱状の突起の中に空気を閉じ込め、当該突起の中の空気の圧力によって衝撃を緩衝する機能を実現することができる。衝撃緩衝部材２０１は、さらに、第１の蓋部材１０２の内面や第２の蓋部材１０３の内面などに設けられていてもよい。
【００３６】
図３は、主容器部材１０１の軸方向における一端側の開口１０１ａの周辺を示す説明図である。図３においては、主容器部材１０１から第１の蓋部材１０２を取り外し、開口１０１ａを開放した状態を示している。図３において、主容器部材１０１には、保持部材３０１が設けられている。保持部材３０１は、筒形状をなす主容器部材１０１の内側に設けられている。
【００３７】
保持部材３０１は、主容器部材１０１の内側において、袋状部材（図４における符号４０１を参照）を保持する。具体的には、保持部材３０１は、たとえば、クリップ形状をなし、袋状部材の開口（図４における符号４０１ａを参照）が、開口１０１ａの近傍に位置付けられるように、主容器部材１０１の内側において当該袋状部材を保持する。具体的には、保持部材３０１は、たとえば、開口１０１ａの近傍において、袋状部材の開口部分の近傍を挟み込んだ状態で保持する。
【００３８】
保持部材３０１は、主容器部材１０１の内側において、複数設けられている。保持部材３０１を複数設けることにより、主容器部材１０１の内側に設けられる袋状部材の口を開いた状態で、当該主容器部材１０１の内側において当該袋状部材を保持することができる。
【００３９】
保持部材３０１は、主容器部材１０１の内周面がなす同一円周上において、等間隔に設けられていることが好ましい。複数の保持部材３０１を、主容器部材１０１の内周面がなす同一円周上において等間隔に配置することにより、主容器部材１０１の内側に設けられる袋状部材の口を確実に開いた状態で、当該主容器部材１０１の内側において当該袋状部材を保持することができる。
【００４０】
保持部材３０１は、開口１０１ａを第１の蓋部材１０２によって閉塞した状態において、第１の蓋部材１０２に干渉しない位置に設けられている。保持部材３０１は、当該保持部材３０１が保持する袋状部材を、開口１０１ｂ側から回収可能に保持する。具体的には、保持部材３０１は、たとえば、当該保持部材３０１が保持する袋状部材が、開口１０１ｂ側から引っ張られた場合に、当該袋状部材を解放する程度の保持力（把持力）で、当該袋状部材を保持（把持）する。より具体的には、たとえば、クリップ形状をなす保持部材３０１の場合、開口１０１ｂ側に向かって開口するように主容器部材１０１に取り付けたクリップ形状の部材によって、保持部材３０１を実現することができる。
【００４１】
（不要物回収装置１００の使用例）
つぎに、この発明にかかる実施の形態の不要物回収装置１００の使用例について説明する。図４および図５は、この発明にかかる実施の形態の不要物回収装置１００の使用例を示す説明図である。図４および図５において、この発明にかかる実施の形態の不要物回収装置１００を使用する際は、まず、主容器部材１０１から第１の蓋部材１０２を取り外し、開口１０１ａを開放する。つぎに、開放した開口１０１ａから、主容器部材１０１の内側に袋状部材４０１を挿入し、当該袋状部材４０１の開口（縁）４０１ａを保持部材３０１によって保持する。これにより、主容器部材１０１の内側に袋状部材４０１を収容することができる。
【００４２】
主容器部材１０１の内側への袋状部材４０１の取り付けに際しては、袋状部材４０１の開口（縁）４０１ａを保持部材３０１によって保持するものに限らない。袋状部材４０１の中程を保持部材３０１によって保持し、当該保持部材３０１による保持位置よりも袋状部材４０１における開口側の部分（結び代）を、開口１０１ａから主容器部材１０１の外側に臨ませてもよい。
【００４３】
主容器部材１０１の内側へ袋状部材４０１を取り付けた後は、開口１０１ａを、第１の蓋部材１０２によって閉塞する。作業者は、主容器部材１０１の内側への袋状部材４０１の取り付けをおこなった不要物回収装置１００を、当該不要物回収装置１００が備える落下防止用の紐状部材１０６の他端（リング側）を腰袋などに取り付けることによって携行する。落下防止用の紐状部材１０６を介して不要物回収装置１００を携行することにより、不要物回収装置１００を容易かつ確実に携行することができる。不要物回収装置１００は、主容器部材１０１の内側に袋状部材４０１を保持し、開口１０１ａを第１の蓋部材１０２によって閉塞した状態で携行する。
【００４４】
つぎに、不要物回収装置１００を携行した状態で、鉄塔上など、カラスなどの野鳥が営巣している場所に移動し、巣の中を確認する。巣の中に産卵された卵４０２がある場合には、主容器部材１０１から第１の蓋部材１０２を取り外し、開口１０１ａを開放する。そして、巣の中に産卵された卵４０２を巣から取り上げ、取り上げた卵４０２（回収した不要物）を、開口１０１ａから不要物回収装置１００に入れる。
【００４５】
主容器部材１０１の内側に設けられた袋状部材４０１は、保持部材３０１によって開口（縁）４０１ａを開けた状態で保持されているため、主容器部材１０１から第１の蓋部材１０２を取り外すだけで、巣から取り上げた卵４０２（回収した不要物）を主容器部材１０１内に容易かつ確実に回収することができる。たとえば、カラスの場合、１つの巣に５〜６個程度産卵する。カラスの卵４０２の大きさと、カラスが１つの巣に一度に産卵する卵４０２の数と、を考慮すると、主容器部材１０１の内容積は５００ｍｌ程度であることが好ましい。
【００４６】
巣から取り上げた卵４０２を回収した後は、開口１０１ａを、第１の蓋部材１０２によって閉塞（密閉）する。これにより、回収した不要物や当該不要物の臭気などが、周囲に散乱することを防止することができる。その後、不要物を回収し、開口１０１ａを閉塞した状態の不要物回収装置１００を携行した状態で、鉄塔から降塔する。
【００４７】
主容器部材１０１の内面には、衝撃緩衝部材２０１が設けられているため、不要物回収装置１００を携行して降塔する場合に、回収した不要物が破損することを防止できる。これにより、たとえば、カラスなどの野鳥の卵４０２を不要物として回収した場合に、当該卵４０２が破損して内容物が散乱したり、当該不要物から発せられる臭気が周囲に漏れて作業者が不快に思うことを防止できる。
【００４８】
さらに、第１の蓋部材１０２の内面や第２の蓋部材１０３の内面などに衝撃緩衝部材２０１を設けることにより、回収した不要物が破損することをより確実に防止できる。そして、これにより、たとえば、カラスなどの野鳥の卵４０２を不要物として回収した場合に、当該卵４０２が破損して内容物が散乱したり、当該不要物から発せられる臭気が周囲に漏れて作業者が不快に思うことを防止できる。
【００４９】
また、不要物回収装置１００においては、主容器部材１０１が円筒形状とされているため、主容器部材１０１にかかる衝撃を、円弧状に湾曲する外周面によって分散させることができる。これにより、たとえば、作業者が、腰袋などとともに不要物回収装置１００を携行する際に、腰袋や当該腰袋内の工具などが不要回収装置１００（主容器部材１０１）にぶつかった場合に、主容器部材１０１にかかる衝撃を分散させ、主容器部材１０１の破損を抑制することができる。
【００５０】
鉄塔上で回収した卵４０２を腰袋などに入れたり、当該卵４０２を入れた袋状部材４０１をそのまま腰袋などにぶら下げたりして地上まで降塔する従来の方法では、降塔する際に卵４０２が割れると、卵４０２の内容物が腰袋に入れた工具や腰袋に付着したり、作業者の衣服に付着したり、周囲に飛散したりしていた。野鳥、特に雑食性のカラスの卵４０２（特に卵４０２の内容物）の臭気は不快であるため、割れた卵４０２の内容物が工具や周囲の設備などに付着すると、工具や設備を清掃しなくてはならない。この清掃は、不快な臭いをともなうため、清掃作業をおこなう作業者の負担が大きい。割れた卵４０２の内容物が衣服に付着した場合、当該衣服を着替えるまで不快な臭いがつきまとう。割れた卵４０２の内容物が付着した工具などはぬるぬるとしてつかみにくいため、清掃作業は作業者に大きな負担がかかる。
【００５１】
これに対し、この発明にかかる実施の形態の不要物回収装置１００を用いることにより、回収した卵４０２が割れた場合にも内容物が飛散することを防止できる。これにより、工具や設備の清掃をおこなう必要をなくすことができ、作業者の負担軽減を図ることができる。また、主容器部材１０１が筒状をなすため、卵４０２が割れて内容物が主容器部材１０１の内側に付着した場合にも、洗いやすく、これによっても作業者の負担軽減を図ることができる。
【００５２】
不要物を回収した後は、地上など、足場の安定した場所において、主容器部材１０１から第２の蓋部材１０３を取り外し、開口１０１ｂを開放する。そして、開口１０１ｂから主容器部材１０１内に手を入れ、当該開口１０１ｂから袋状部材４０１を回収する。上記のように、保持部材３０１は、当該保持部材３０１が保持する袋状部材４０１が、開口１０１ｂ側から引っ張られた場合に、当該袋状部材４０１を解放する程度の保持力（把持力）で、当該袋状部材４０１を保持（把持）しているため、主容器部材１０１の軸方向における他端側から袋状部材４０１を引っ張ることにより、不要物を回収した袋状部材４０１を容易に主容器部材１０１から取り外すことができる。このとき、開口１０１ａは、第１の蓋部材１０２によって閉塞されているため、袋状部材４０１の中に回収した不要物が散乱したり、不要物の臭気によって作業者が不快になったりすることを確実に防止できる。
【００５３】
その後、主容器部材１０１から回収した袋状部材４０１の開口４０１ａを縛る。これにより、袋状部材４０１の中に回収した不要物（野鳥の卵４０２）が散乱したり、不要物の臭気によって作業者が不快になったりすることを確実に防止できる。開口４０１ａを縛った袋状部材４０１は、たとえば、不要物の回収者や不要物の処分を担う自治体などが定めたルールにしたがって処分する。
【００５４】
カラスなどの野鳥の卵４０２は、割れると不快な臭気が発生するが、この発明にかかる実施の形態の不要物回収装置１００を用いることにより、回収した後に運搬する場合にも臭気が拡散することを防止できるので、たとえば、回収した卵４０２を運搬する車内に不快な臭いが充満することを防止できる。
【００５５】
この発明にかかる実施の形態の不要物回収装置１００は、回収した内容物が外部から視認されることがないため、たとえば、カラスなどの野鳥の卵４０２が割れ、割れた内容物が袋状部材４０１内において広がった場合にも、作業者は割れた卵４０２や袋状部材４０１内において広がった内容物などを見ることがない。これにより、作業者が視覚的に不快になることを防止できる。
【００５６】
また、この発明にかかる実施の形態の不要物回収装置１００は、回収した内容物が外部から視認されることがないため、回収した卵４０２を生んだ親カラスに、卵４０２を回収したことを悟られにくくすることができる。これにより、回収作業に際して作業者が親カラスから攻撃を受けたり、回収作業を邪魔されたりすることを防止できる。
【００５７】
第１の蓋部材１０２は、第１の紐状部材１０４によって主容器部材１０１に連結されているものに限らない。第１の蓋部材１０２は、たとえば、開口１０１ａ近傍に図示を省略する蝶番を設け、当該蝶番を介して、主容器部材１０１に対して連結されていてもよい。この場合、蝶番は、当該蝶番の軸を中心として主容器部材１０１に対して第１の蓋部材１０２が回動可能となるように連結する。また、この場合、たとえば、主容器部材１０１および第１の蓋部材１０２のそれぞれに対して、ネジや接着剤などを用いて蝶番を固定することにより、第１の蓋部材１０２を主容器部材１０１に連結し、主容器部材１０１と第１の蓋部材１０２とを一体とすることができる。
【００５８】
この場合、さらに、蝶番を介して主容器部材１０１に連結された第１の蓋部材１０２を、バネなどの付勢部材を用いて当該開口１０１ａを開放する方向に付勢するとともに、第１の蓋部材１０２の一部を主容器部材１０１に係止する第１のロック機構を設けてもよい。第１のロック機構は、たとえば、主容器部材１０１に設けられた突起と、第１の蓋部材１０２に設けられて当該突起に係合する係合部材と、によって実現することができる。
【００５９】
これにより、第１のロック機構によるロックを解除すると、第１の蓋部材１０２が付勢部材によって付勢され、開口１０１ａを開放する方向に回動する。すなわち、第１のロック機構によるロックを解除するだけの簡単な操作で、開口１０１ａを容易に開放することができる。
【００６０】
上記第１の蓋部材１０２と同様に、第２の蓋部材１０３は、第２の紐状部材１０５によって主容器部材１０１に連結されているものに限らない。第２の蓋部材１０３は、たとえば、開口１０１ｂ近傍に蝶番を設け、当該蝶番を介して、主容器部材１０１に対して連結されていてもよい。この場合、蝶番は、当該蝶番の軸を中心として主容器部材１０１に対して第２の蓋部材１０３が回動可能となるように連結する。また、この場合、たとえば、主容器部材１０１および第２の蓋部材１０３のそれぞれに対して、ネジや接着剤などを用いて蝶番を固定することにより、第２の蓋部材１０３を主容器部材１０１に連結し、主容器部材１０１と第２の蓋部材１０３とを一体とすることができる。
【００６１】
この場合、さらに、蝶番を介して主容器部材１０１に連結された第２の蓋部材１０３を、バネなどの付勢部材を用いて当該開口１０１ｂを開放する方向に付勢するとともに、第２の蓋部材１０３の一部を主容器部材１０１に係止する第２のロック機構を設けてもよい。第２のロック機構は、たとえば、主容器部材１０１に設けられた突起と、第２の蓋部材１０３に設けられて当該突起に係合する係合部材と、によって実現することができる。
【００６２】
これにより、第２のロック機構によるロックを解除すると、第２の蓋部材１０３が付勢部材によって付勢され、開口１０１ｂを開放する方向に回動する。すなわち、第２のロック機構によるロックを解除するだけの簡単な操作で、開口１０１ｂを容易に開放することができる。
【００６３】
保持部材３０１は、クリップ形状をなすものに限らない。図６は、保持部材３０１の別の態様を示す説明図である。図６において、保持部材６００は、主容器部材１０１の内面であって、主容器部材１０１の軸方向における一端側の開口１０１ａの近傍に設けた段差部６０１と、当該段差部６０１の内径よりも径の大きい環形状をなす部材６０２と、によって構成されている。
【００６４】
部材６０２は、主容器部材１０１に対して着脱可能であって、主容器部材１０１に収容された状態においては、段差部６０１によって位置が定められる。このような保持部材６００を備える不要物回収装置１００を使用する際は、第１の蓋部材１０２を取り外して開口１０１ａを開放し、主容器部材１０１から部材６０２を取り外した状態で、主容器部材１０１の内側に袋状部材４０１を挿入する。つぎに、主容器部材１０１の内側に収容された袋状部材４０１を、主容器部材１０１の内面と部材６０２との間に挟むようにして、当該部材６０２を主容器部材１０１に収容する。これによって、袋状部材４０１を、開口１０１ｂ側から引き出すことが可能な状態で保持することができる。
【００６５】
以上説明したように、この発明にかかる実施の形態の不要物回収装置１００は、両端が開放された筒形状をなす主容器部材１０１と、開口１０１ａを開放可能に密閉する第１の蓋部材１０２と、開口１０１ｂを開放可能に密閉する第２の蓋部材１０３と、第１の蓋部材１０２および第２の蓋部材１０３によって主容器部材１０１の軸方向における両端の開口を密閉した状態における主容器部材１０１の内側において、袋状部材４０１を保持する保持部材３０１と、を備え、保持部材３０１が、当該保持部材３０１が保持する袋状部材４０１を、主容器部材１０１の軸方向における他端側から回収可能に保持することを特徴としている。
【００６６】
この発明にかかる実施の形態の不要物回収装置１００によれば、主容器部材１０１の内側において保持部材３０１によってビニール製などの袋状部材４０１を保持した状態で、第１の蓋部材１０２および第２の蓋部材１０３によって主容器部材１０１の両端の開口を密閉することにより、袋状部材４０１内に回収した不要物を、当該不要物から発生する液体や臭気を外部に漏らすことなく運搬することができる。これにより、この発明にかかる実施の形態の不要物回収装置１００の使用者は、不要物から発生した液体や臭気によって不快な思いをすることなく、快適に作業をおこなうことができる。
【００６７】
具体的には、この発明にかかる実施の形態の不要物回収装置１００を使用することにより、たとえば、カラスなどの野鳥の卵４０２が割れた場合にも、内容物を袋状部材４０１の外に散乱させることがないため、内容物が作業者の身体や衣服に付着して当該作業者が不快な思いをしたり、鉄塔上などの高所において回収した卵４０２の内容物が鉄塔周囲に飛び散って住宅などを汚したりすることを防止できる。これにより、この発明にかかる実施の形態の不要物回収装置１００の使用者は、カラスなどの野鳥の卵４０２などのように割れて散乱しやすい不要物であっても、不要物から発生した液体や臭気によって不快な思いをすることなく、快適に作業をおこなうことができる。
【００６８】
また、主容器部材１０１の内側において保持部材３０１が保持する袋状部材４０１内に不要物を回収することができるので、不要物から発生する液体や臭気が主容器部材１０１の内側に付着するなどして不要物回収装置１００を汚すことなく、不要物を運搬することができる。これにより、この発明にかかる実施の形態の不要物回収装置１００を使用する使用者は、不要物回収装置１００を繰り返し使用する場合に、前回以前に回収した不要物の汚れによって不快な思いをすることなく、快適に作業をおこなうことができる。
【００６９】
また、この発明にかかる実施の形態の不要物回収装置１００によれば、第１の蓋部材１０２によって開口１０１ａを密閉した状態で第２の蓋部材１０３を開放することによって、袋状部材４０１内に回収した不要物を当該袋状部材４０１ごと回収することができる。これにより、この発明にかかる実施の形態の不要物回収装置１００を使用する使用者は、回収した不要物に触れることなく、不要物の回収作業を容易におこなうことができる。
【００７０】
また、この発明にかかる実施の形態の不要物回収装置１００によれば、主容器部材１０１が筒形状をなすため洗いやすく、乾燥させやすい。これにより、この発明にかかる実施の形態の不要物回収装置１００を使用する使用者は、不要物回収装置１００の使用後に当該不要物回収装置１００を洗うなどのメンテナンス作業を容易におこなうことができる。
【００７１】
また、この発明にかかる実施の形態の不要物回収装置１００は、主容器部材１０１の内壁面に設けられた衝撃緩衝部材２０１を備えたことを特徴としている。
【００７２】
この発明にかかる実施の形態の不要物回収装置１００によれば、袋状部材４０１内に回収した不要物が、主容器部材１０１内で破損することを抑制し、袋状部材４０１内に回収した不要物が破損することによって当該不要物から液体や臭気が発生することを抑制することができる。これにより、この発明にかかる実施の形態の不要物回収装置１００の使用者は、不要物から発生した液体や臭気によって不快な思いをすることなく、快適に作業をおこなうことができる。
【００７３】
また、この発明にかかる実施の形態の不要物回収装置１００は、第１の蓋部材１０２および第２の蓋部材１０３が、主容器部材１０１に連結されていることを特徴としている。
【００７４】
この発明にかかる実施の形態の不要物回収装置１００によれば、主容器部材１０１の開口を開放した場合に、第１の蓋部材１０２や第２の蓋部材１０３が紛失することを防止できる。これにより、この発明にかかる実施の形態の不要物回収装置１００の使用者は、不要物を回収した袋状部材４０１を不要物回収装置１００から回収する場合など、主容器部材１０１の開口を開放した場合に、不要物から発生した液体や臭気によって不快な思いをすることなく、快適に作業をおこなうことができる。
【００７５】
また、この発明にかかる実施の形態の不要物回収装置１００は、主容器部材１０１、第１の蓋部材１０２および第２の蓋部材１０３が、不透明な材料を用いて形成されていることを特徴としている。
【００７６】
この発明にかかる実施の形態の不要物回収装置１００によれば、不要物回収装置１００内の袋状部材４０１や袋状部材４０１内に回収した不要物などが、不要物回収装置１００の外側から視認されることを防止することができる。これにより、この発明にかかる実施の形態の不要物回収装置１００の使用者は、不要物が見えることによって不快な思いをすることなく、快適に作業をおこなうことができる。特に、野鳥の卵４０２などの割れやすい不要物を回収した際に、当該卵４０２が割れて内容物が袋状部材４０１内で広がった場合にも、不要物が見えることによって不快な思いをすることなく、快適に作業をおこなうことができる。
【００７７】
また、この発明にかかる実施の形態の不要物回収装置１００は、主容器部材１０１、第１の蓋部材１０２および第２の蓋部材１０３が、高分子材料を用いて形成されていることを特徴としている。
【００７８】
この発明にかかる実施の形態の不要物回収装置１００によれば、たとえば、一般的にプラスチックなどと称される高分子材料を用いて形成することによって、不要物回収装置１００の軽量化を図ることができる。これにより、この発明にかかる実施の形態の不要物回収装置１００の使用者は、不要物回収装置１００を携行することによる負担を軽減し、快適に作業をおこなうことができる。
【００７９】
また、この発明にかかる実施の形態の不要物回収装置１００によれば、柔軟性の高い高分子材料を用いて形成することによって、不要物回収装置１００を落とした場合やぶつけた場合に不要物回収装置１００が破損することを防止できる。これにより、この発明にかかる実施の形態の不要物回収装置１００の使用者は、不要物から発生した液体や臭気が不要物回収装置１００の外に漏れることによって不快な思いをすることなく、快適に作業をおこなうことができる。
【００８０】
また、この発明にかかる実施の形態の不要物回収装置１００は、主容器部材１０１が、略円筒形状をなすことを特徴としている。
【００８１】
この発明にかかる実施の形態の不要物回収装置１００によれば、略円筒形状をなす主容器部材１０１とすることにより、使用者が不要物回収装置１００とともに使用者の腰に下げた工具袋と衝突した場合や、当該不要物回収装置１００を腰袋に入れて運搬する際に当該腰袋内の収容物と衝突した場合において、主容器部材１０１にかかる衝撃を、円弧状に湾曲する外周面によって分散させ、外部から加えられた衝撃による不要物回収装置１００の破損を抑制することができる。これにより、この発明にかかる実施の形態の不要物回収装置１００の使用者は、格別な注意を払うことなく不要物回収装置１００を運搬することができ、不要物回収装置１００を携行することによって作業性が低下することを防止できる。
【産業上の利用可能性】
【００８２】
以上のように、この発明にかかる不要物回収装置は、破損しやすく破損した場合に拡散し易い不要物を回収する際に用いる不要物回収装置に有用であり、特に、カラスなどの野鳥の卵を回収する際に用いる不要物回収装置に適している。
【符号の説明】
【００８３】
１００  不要物回収装置
１０１  主容器部材
１０１ａ、１０１ｂ  開口
１０２  第１の蓋部材
１０３  第２の蓋部材
１０４  第１の紐状部材
１０５  第２の紐状部材
２０１  衝撃緩衝部材
３０１  保持部材
４０２  卵
【図１】
2014171406.tif 000003
【図２】
2014171406.tif 000004
【図３】
2014171406.tif 000005
【図４】
2014171406.tif 000006
【図５】
2014171406.tif 000007
【図６】
2014171406.tif 000008